(57)【要約】【課題】センターストーンと二つのリングが相互に連関して全体としての装飾性が高く、且つ、一つの指輪で指を広範囲に亘って装飾することのできる新規な指輪を提供することにある。【解決手段】センターストーン（２）が着座される石座（３）と、前記石座を間に挟んだ前後位置に配置され、間隔をあけて共通の指に嵌められる第１リング（４）及び第２リング（５）と、前記第１リングから第２リングに跨るように左右一対に配置され、前記石座を支持すると共に、その中央が指の関節の曲がる方向に回動可能なブリッジ装飾部（６）と、を備えた構成とする。【選択図】図１
0003206836.tif 000002
【実用新案登録請求の範囲】
【請求項１】
センターストーンが着座される石座と、
前記石座を間に挟んだ前後位置に配置され、間隔をあけて共通の指に嵌められる第１リング及び第２リングと、
前記第１リングから第２リングに跨るように左右一対に配置され、前記石座を支持すると共に、その中央が指の関節の曲がる方向に回動可能なブリッジ装飾部と、を備えたことを特徴とする指輪。
【請求項２】
前記ブリッジ装飾部の長さ方向に沿うように配設され、指を伸ばしたときのブリッジ装飾部の形態へ戻る復元力を備えた線状の形状記憶合金部材をさらに備えたことを特徴とする請求項１に記載の指輪。
【請求項３】
前記第１リング及び第２リングは、サイズフリーリングであることを特徴とする請求項１又は２に記載の指輪。
【考案の詳細な説明】
【技術分野】
【０００１】
本考案は、センターストーンと二つのリングを相互に連関させて全体としての装飾性を高めた指輪に関する。特に、指の動きに合わせて形態が変化して、その装飾性を維持することのできる指輪に関する。
【背景技術】
【０００２】
装飾品の代表例である指輪は、周知の通り、ダイヤモンド等の宝石などからなるセンターストーンと、センターストーンが着座される石座と、指に嵌められるリングの部分によって構成されている（例えば、特許文献１〜２参照）。センターストーン，石座及びリングは、宝石メーカーや宝石職人等によって多種多様なデザインが考案され、女性を中心とする使用層を魅了している。
【先行技術文献】
【特許文献】
【０００３】
【特許文献１】意匠登録１４３５３８号公報
【特許文献２】意匠登録２３１８２１号公報
【考案の概要】
【考案が解決しようとする課題】
【０００４】
このように、装飾品として高い人気を誇る指輪は、多種多様なデザインのものが存在するが、いずれもセンターストーンが着座された石座とリングとを一体的に形成することを基本形としている。そしてリングは、指の関節と関節の間（主として第二関節と第三関節の間）に嵌められるので、必然的に、指輪によって装飾される位置（範囲）も指の関節と関節の間に限られる。
【０００５】
より広範囲に亘って装飾するために、複数の指輪を重ね付けすることも行われているが、各指輪が連関した一体感のある装飾性は得られない。さらに、複数の指輪を重ね付けすると、指が曲げ辛くなる別の不具合が生じる場合がある。
【０００６】
すなわち、従来の指輪では、一つの指輪で広範囲に亘って指を装飾することは難しい。
【０００７】
本考案は、上述した問題点を解決するためになされたものであり、その目的は、センターストーンと二つのリングが相互に連関して全体としての装飾性が高く、且つ、一つの指輪で指を広範囲に亘って装飾することのできる新規な指輪を提供することにある。
【０００８】
また、本考案の他の目的は、指の動きに合わせて形態が変化して、その装飾性を維持することができ、且つ、指を曲げる動作に負担がかからない指輪を提供することにある。
【課題を解決するための手段】
【０００９】
すなわち、本考案の要旨は以下の通りである。
（１）本考案に係る指輪は、センターストーンが着座される石座と、前記石座を間に挟んだ前後位置に配置され、間隔をあけて共通の指に嵌められる第１リング及び第２リングと、前記第１リングから第２リングに跨るように左右一対に配置され、前記石座を支持すると共に、その中央が指の関節の曲がる方向に回動可能なブリッジ装飾部と、を備えたことを特徴とする。
（２）前記ブリッジ装飾部の長さ方向に沿うように配設され、指を伸ばしたときのブリッジ装飾部の形態へ戻る復元力を備えた線状の形状記憶合金部材をさらに備えた構成である。
（３）前記第１リング及び第２リングは、サイズフリーリングである。
【考案の効果】
【００１０】
本考案の指輪によれば、センターストーンが着座される石座と、前記石座を間に挟んだ前後位置に配置され、間隔をあけて共通の指に嵌められる第１リング及び第２リングと、前記第１リングから第２リングに跨るように左右一対に配置され、前記石座を支持すると共に、その中央が指の関節の曲がる方向に回動可能なブリッジ装飾部を備える構成としたことにより、センターストーンと二つのリングが相互に連関して全体としての装飾性を高められた指輪を具現化できる。
【００１１】
上記指輪は、第１リングを第一関節と第二関節の間に嵌め、第２リングを第二関節と第三関節の間に嵌めることによって、センターストーンを指の第二関節上に位置させることが可能である。これにより、一つの指輪で指を広範囲に亘って装飾することができる。
【００１２】
そして、指の関節が曲がる方向に回動可能なブリッジ装飾部で石座を支持する構成としたことにより、指の動きに合わせて指輪全体の形態が変化し、その装飾性を維持することができる。特に、指を曲げてもセンターストーンが関節上でその姿勢を保ち、傾かないことの効果が大きい。さらに、指の動きに合わせて指輪の形態が変化するので、指を曲げる動作にかかる負担も小さい。
【００１３】
また、ブリッジ装飾部の長さ方向に沿うように配設され、指を伸ばしたときのブリッジ装飾部の形態へ戻る復元力を備えた線状の形状記憶合金部材をさらに備えた構成としたことにより、指を曲げたときの変形状態から元の形態への復帰が確実に安定して行われる。また、指から外したときにおいても、その形態を維持することができる。
【００１４】
さらにまた、前記第１リング及び第２リングとして、サイズフリーリングを採用したことにより、センターストーンが第二関節上に丁度位置するように第１リングと第２リングを嵌めることができる。すなわち、本考案の指輪は、ブリッジ装飾部の長さによって第１リングと第２リングの位置関係が決まっているので、サイズフリーリングを採用することでセンターストーンを第二関節上に位置させたときに第１リングと第２リングの両方が指にフィットできるようになっている。
【図面の簡単な説明】
【００１５】
【図１】本考案の一実施形態に従う指輪の側面図である。
【図２】上記指輪の正面図である。
【図３】上記指輪の平面図である。
【図４】上記指輪の部分拡大断面図である。
【図５】上記指輪の可動部分を説明するための図である。
【図６】上記指輪を指に嵌めたときの状態を示す図である。
【図７】上記指輪を嵌めた指を曲げたときの状態を示す図である。
【考案を実施するための形態】
【００１６】
本考案の好ましい実施形態に従う指輪について、添付図面を参照しながら詳しく説明する。但し、以下に説明する実施形態によって本考案の技術的範囲は何ら限定されることはない。
【００１７】
図１〜図３は、本考案の好ましい実施形態に従う指輪の側面図、正面図及び平面図を夫々示している。図１〜図３に示されるように、指輪１は、例えば宝石などからなるセンターストーン２、センターストーン２が着座される石座３、共通の指に間隔をおいて嵌められる第１リング４と第２リング５、石座３を支持すると共に第１リング４と第２リング５を連結する一対のブリッジ装飾部６を備えている。
【００１８】
センターストーン２には、一例としてダイヤモンド、エメラルド、ルビー、サファイアなどの宝石を用いることができる。その周囲に同種又は異種の宝石によるサイドストーンを配置するようにしてもよい。また、宝石以外の装飾体を用いてもよい。すなわち、宝石以外の装飾体の場合も、センターストーンとみなして権利範囲に含まれる。
【００１９】
石座３は、センターストーン２を固定支持する。本実施形態の石座３は、全体として逆円錐台の形状を呈し、爪３１と称される部分によって格子状に形成されている。センターストーン２は、石座３の上面側開口部に嵌め込まれ、石座３の顎３２と称される部分によって外れないように固定されている。石座３の材質としては、一例として金、銀、プラチナなどの貴金属を用いることができる。
【００２０】
第１リング４は、正面図に表れるように、リング下部側が開いたサイズフリーリングである。第１リング４の材質としては、一例として金、銀、プラチナなどの貴金属を用いることができる。さらに、第１リング４の上部側の部分４１には、リング長さ方向に沿って溝を形成し、その溝内に宝石等を配置するなどの装飾が施されている。第２リング５も、第１リング４と同様の構成である。但し、第１リング４が指の第一関節と第二関節の間に嵌められるのに対し、第２リング５は第二関節と第三関節の間に嵌められるので、第１リング４よりも第２リング５の方のサイズを若干大きくした相似形になっている。
【００２１】
ブリッジ機構としての機能を発揮するブリッジ装飾部６は、第１リング４から第２リング５に跨るようにして配置されている。ブリッジ装飾部６は、特に平面図に表れるように、指の側面位置に左右一対に設けられている。本実施形態においてブリッジ機構を「装飾部」と称するのは、これ自体にも装飾が施され、指輪全体の装飾性を高めているからである。ブリッジ装飾部６の材質としては、一例として金、銀、プラチナなどの貴金属を用いることができる。
【００２２】
ブリッジ装飾部６は、側面視において概ね「くの字状」を呈する２つの部材６Ａ，６Ｂを対称に配置し、端部同士を水平方向に延びるピン部材（例えば、リベット）でピン接合６１することによって、互いに回動可能なように構成している。ピン部材の基端側は石座３に固定接続することができる。すなわち、石座３はブリッジ装飾部６によって支持されている。ピン以外の部分で石座３とブリッジ装飾部６を接続するようにしてもよい。さらに、「くの字状」を呈する２つの部材６Ａ，６Ｂは、その折り返しの部分が上方に延び、その上端部に、水平姿勢に配置された筒状部材６２Ａ，６２Ｂが互いに対向するように設けられている。
【００２３】
詳しくは図４の部分拡大断面図に示されるように、対向する筒状部材６２Ａ，６２Ｂの他端側の端面は閉塞されており、その閉塞部分に線状の形状記憶合金部材６３の端部が固定接続されている。この線状の形状記憶合金部材６３は、力を加えない状態において直線形状を維持し、湾曲させる力を加えると曲がるが、力を開放すると元の直線形状に戻る特性を有する部材が用いられている。形状記憶合金部材６３の材質は、特に制限されず、公知のものを採用することができる。形状記憶合金部材６３の長さは、図１に示す指輪１の形態が保持される長さ、すなわち筒状部材６２Ａ，６２Ｂが互いに水平姿勢で対向しているときの長さに設定されている。両筒状部材間には３つのビーズ部材６４Ａ，６４Ｂ，６４Ｃが配置されており、各ビーズ部材６４Ａ，６４Ｂ，６４Ｃの中央の開口穴を、線状の形状記憶部材部材６３が貫通している。３つのビーズ部６４Ａ，６４Ｂ，６４Ｃのうち、中央のビーズ部材６４Ａは石座３の爪３１と固定接続されているが、左右のビーズ部材６４Ｂ，６４Ｃは、石座３には固定されておらずフリーな状態になっている。
【００２４】
さらに、ブリッジ装飾部６の両端は、夫々、第１リング４及び第２リング５の肩の部位に回動可能なように連結されている。詳しくは図２の正面図と図３の平面図に表れるように、各リング４，５の肩の部位に設けられた水平方向に延びるピン部材（例えば、リベット）によって、ブリッジ装飾部６の端部がピン接合６５Ａ，６５Ｂされている。
【００２５】
上述のごとく、センターストーン２が着座された石座３、第１リング４及び第２リング５を、ブリッジ装飾部６を通じて連結した本実施形態の指輪は、図５に例示されるように可動することができる。そして使用時には、図６に模式的に示すように指に嵌めることができる。すなわち、第１リング４を第一関節と第二関節の間に嵌め、第２リング５を第二関節と第三関節の間に嵌めることによって、センターストーン２を指の第二関節上に位置させることができる。
【００２６】
そして、指を曲げると、図７に模式的に示すように、指の曲げ角度に応じてブリッジ装飾部６の中央の連結部分（６１）が回転すると共に形状記憶合金部材６３が湾曲変形する。また、ブリッジ装飾部６と第１リング４及び第２リング５の各連結部分（６５Ａ，６５Ｂ）も指の曲げ角度に応じて回転する。このように、指の動きに合わせて指輪１の形態が変化する一方で、ブリッジ装飾部６に支持されている石座３については関節上でその姿勢を維持することができるので、センターストーン２が傾くことが抑えられる。
【００２７】
また、曲げた指を伸ばすと、前述とは反対の方向に各連結部分（６１，６５Ａ，６５Ｂ）が回転する。そして、形状記憶合金部材６３の復元作用が相まって図４に示した指輪１の形態に確実に安定して戻ることができる。
【００２８】
上述の実施形態によれば、センターストーン２が着座される石座３、第１リング４及び第２リング５を、ブリッジ装飾部６で連結した構成としたことにより、センターストーン２と二つのリング４，５が相互に連関して全体としての装飾性が高められ、且つ、一つの指輪で指を広範囲に亘って装飾することのできる指輪１を具現化できたのである。
【００２９】
なお、上記実施形態において説明及び図示した指輪１のデザイン及び材質は、好ましい一例であり、デザイン及び材質を特に限定するものではない。例えば使用層のニーズや流行などを考慮して、多種多様なデザイン及び材質を採用することができる。
【００３０】
以上、本考案の具体的な実施形態に関して説明したが、本考案の範囲を逸脱しない限り様々な変形が可能であることは、当該技術分野における通常の知識を有する者にとって自明なことである。従って、本考案の技術的範囲は、上述した実施形態に限定されるものではなく、実用新案登録請求の範囲及びこれと均等なものに基づいて定められるべきである。
【符号の説明】
【００３１】
１    指輪
２    センターストーン
３    石座
４    第１リング
５    第２リング
６    ブリッジ装飾部
６３  形状記憶合金部材
【図１】
0003206836.tif 000003
【図２】
0003206836.tif 000004
【図３】
0003206836.tif 000005
【図４】
0003206836.tif 000006
【図５】
0003206836.tif 000007
【図６】
0003206836.tif 000008
【図７】
0003206836.tif 000009